(57)【要約】【課題】モードが切り替わったことを確認し易くできる時計を提供すること。【解決手段】電子時計は、複数のモードを有し、モードを指示するモード針としての第１指針２１を含む複数の指針と、モードの切り替えを指示するモード切替操作が行われる操作部と、モード切替操作に基づいて移動される複数の指針を、早送りでの移動期間を重ねずに移動させる表示制御部とを備える。表示制御部は、複数の指針のうち、第１指針２１を最初に移動させる。【選択図】図５
2016200502.tif 000002
【特許請求の範囲】
【請求項１】
複数のモードを有する電子時計であって、
前記モードを指示するモード針を含む複数の指針と、
前記モードの切り替えを指示するモード切替操作が行われる操作部と、
前記モード切替操作に基づいて移動される複数の指針を、早送りでの移動期間を重ねずに移動させる表示制御部と、を備え、
前記表示制御部は、前記複数の指針のうち、前記モード針を最初に移動させる
ことを特徴とする電子時計。
【請求項２】
請求項１に記載の電子時計において、
前記表示制御部による制御により前記複数の指針を駆動する複数のモーターを備え、
前記表示制御部は、前記モード針を移動させた後、一巡に要するモーター駆動パルスのパルス数が少ない指針から順番に移動させる
ことを特徴とする電子時計。
【請求項３】
請求項１に記載の電子時計において、
時間を計測するクロノグラフ部を備え、
前記複数の指針は、前記クロノグラフ部で計測される計測時間を指示可能な複数の計測指針を含み、
前記表示制御部は、時間の計測を指示する前記操作部のクロノグラフ切替操作に基づいて、前記モード針を移動させ、前記モード針を移動させた後、前記複数の計測指針のうち、前記計測時間の最小時間を指示する最小時間計測指針を最初に移動させる
ことを特徴とする電子時計。
【請求項４】
請求項３に記載の電子時計において、
前記表示制御部は、前記最小時間計測指針の移動が完了する前に、前記クロノグラフ部が時間の計測を開始した場合、前記最小時間計測指針を、前記計測時間を指示する位置まで早送りで移動させ後、通常運針させる
ことを特徴とする電子時計。
【請求項５】
複数のモードを有する電子時計であって、
複数の指針と、
前記複数の指針を駆動する複数のモーターと、
モードの切り替えを指示するモード切替操作が行われる操作部と、
前記モード切替操作に基づいて、前記複数のモーターを利用して前記複数の指針を早送りで移動させる表示制御部と、を備え、
前記表示制御部は、前記複数の指針のうち、一巡に要するモーター駆動パルスのパルス数が少ない指針から順番に早送りでの移動期間を重ねずに移動させる
ことを特徴とする電子時計。
【発明の詳細な説明】
【技術分野】
【０００１】
本発明は、複数の指針を備えた電子時計に関する。
【背景技術】
【０００２】
従来、複数の指針を早送りする場合、各指針を異なるタイミングで移動させ、消費電流を低減している電子時計がある（例えば、特許文献１参照）。
特許文献１の電子時計は、時分針を駆動する時分用モーターと、秒針を駆動する秒用モーターとを備える。そして、各指針の運針を停止する節電モードから、各指針の運針を継続する表示モードに移行する場合、時分用モーターを制御して時分針を早送りで移動させて現在時刻の時分を表示させ、時分針を移動させた後、秒用モーターを制御して秒針を早送りで移動させて現在時刻の秒を表示させている。
【先行技術文献】
【特許文献】
【０００３】
【特許文献１】特許第３５５１８６１号公報
【発明の概要】
【発明が解決しようとする課題】
【０００４】
ところで、近年、共通の複数の指針を用いて、カレンダー情報やクロノグラフ機能による計測時間等を表示する電子時計が存在する。このような電子時計では、モードが切り替えられると、各指針が早送りで移動する。このとき、特許文献１の電子時計のように、各指針を異なるタイミングで移動させることで、消費電流を低減させることが考えられるが、この場合、モードが切り替わったことを確認し易くできることが求められる。
【０００５】
本発明の目的は、モードが切り替わったことを確認し易くできる電子時計を提供することにある。
【課題を解決するための手段】
【０００６】
本発明の電子時計は、複数のモードを有する電子時計であって、前記モードを指示するモード針を含む複数の指針と、前記モードの切り替えを指示するモード切替操作が行われる操作部と、前記モード切替操作に基づいて移動される複数の指針を、早送りでの移動期間を重ねずに移動させる表示制御部と、を備え、前記表示制御部は、前記複数の指針のうち、前記モード針を最初に移動させることを特徴とする。
【０００７】
本発明によれば、操作部のモード切替操作が行われると、モードを指示するモード針が最初に移動するため、モード針が最初に移動しない場合と比べて、何のモードに切り替わったかをユーザーが早く確認できる。
また、モード切替操作に基づいて移動される各指針は、早送りでの移動期間を重ねずに移動されるため、各指針が同時に早送りで移動されることがない。このため、各指針が同時に早送りで移動される場合と比べて、消費電流を低減できる。
なお、モード切替操作に連動しない指針が設けられている場合には、これらの指針は通常の運針を継続できる。例えば、現在時刻を指示する時分秒針がモード切替操作に連動しない場合には、これらの時分秒針は通常の運針を継続できる。
【０００８】
本発明の電子時計において、前記表示制御部による制御により前記複数の指針を駆動する複数のモーターを備え、前記表示制御部は、前記モード針を移動させた後、一巡に要するモーター駆動パルスのパルス数が少ない指針から順番に移動させることが好ましい。
【０００９】
各指針が一巡するのに要するモーター駆動パルスのパルス数とは、指針が１本の針で構成されている場合は、当該針が１周するのに要するモーター駆動パルスのパルス数である。また、指針が時針および分針のような互いに連動する複数の針で構成されている場合は、すべての針が同じ位置に戻るまでに要するモーター駆動パルスのパルス数である。
ここで、早送り時のモーター駆動パルスの周波数が同じであれば、パルス数が少ない指針は、パルス数が多い指針よりも移動時間が短くなる。
このため、モード針が移動した後、パルス数が少ない指針から順番に移動することで、操作部に対してモード切替操作が行われてから、最後に移動する指針の移動開始タイミングまでの平均時間を最も短くできる。
このため、ユーザーは、移動対象のすべての指針に対して、モードの切替動作が開始されたことを早く確認でき、利便性を向上できる。
【００１０】
本発明の電子時計において、時間を計測するクロノグラフ部を備え、前記複数の指針は、前記クロノグラフ部で計測される計測時間を指示可能な複数の計測指針を含み、前記表示制御部は、時間の計測を指示する前記操作部のクロノグラフ切替操作に基づいて、前記モード針を移動させ、前記モード針を移動させた後、前記複数の計測指針のうち、前記計測時間の最小時間を指示する最小時間計測指針を最初に移動させることが好ましい。
【００１１】
本発明によれば、クロノグラフ切替操作が行われると、モード針が移動した後、クロノグラフ秒針などの最小時間計測指針が最初に移動する。
このため、クロノグラフ切替操作が行われた直後に、クロノグラフ部が時間の計測を開始した場合、最小時間計測指針がクロノグラフ分針やクロノグラフ時針などの他の計測指針よりも後に移動する場合と比べて、計測時間の最小時間が表示されるまでの時間を短縮でき、ユーザーが最小時間を早く確認できる。
【００１２】
本発明の電子時計において、前記表示制御部は、前記最小時間計測指針の移動が完了する前に、前記クロノグラフ部が時間の計測を開始した場合、前記最小時間計測指針を、前記計測時間を指示する位置まで早送りで移動させた後、通常運針させることが好ましい。
【００１３】
本発明によれば、最小時間計測指針の移動が計測開始位置に移動する前に、クロノグラフ部が時間の計測を開始した場合、例えばすべての計測指針を計測開始位置（帰零位置）に移動させてから、最小時間計測指針に計測時間を指示させる場合と比べて、計測時間を早く表示させることができる。
【００１４】
本発明の電子時計は、複数のモードを有する電子時計であって、複数の指針と、前記複数の指針を駆動する複数のモーターと、モードの切り替えを指示するモード切替操作が行われる操作部と、前記モード切替操作に基づいて、前記複数のモーターを利用して前記複数の指針を早送りで移動させる表示制御部と、を備え、前記表示制御部は、前記複数の指針のうち、一巡に要するモーター駆動パルスのパルス数が少ない指針から順番に早送りでの移動期間を重ねずに移動させることを特徴とする。
【００１５】
本発明によれば、パルス数が少ない指針から順番に移動することで、操作部に対してモード切替操作が行われてから、最後に移動する指針の移動開始タイミングまでの平均時間を最も短くできる。
このため、ユーザーは、移動対象のすべての指針に対して、モードの切替動作が開始されたことを早く確認でき、利便性が向上する。
また、各指針は同時に早送り移動されないため、同時に早送りで移動される場合と比べて、消費電流を低減できる。
【図面の簡単な説明】
【００１６】
【図１】本発明の第１実施形態のアナログ電子時計の正面図である。
【図２】第１実施形態のアナログ電子時計の構成を示すブロック図である。
【図３】第１実施形態のアナログ電子時計の指針が一巡するのに要するパルス数および移動時間を示す図である。
【図４】前記第１実施形態のアナログ電子時計のＡボタンが押された場合の表示状態の遷移例を示す図である。
【図５】前記第１実施形態のアナログ電子時計のＢボタンが押された場合の表示状態の遷移例を示す図である。
【図６】前記第１実施形態のアナログ電子時計のＢボタンが押された場合の表示状態の他の遷移例を示す図である。
【図７】本発明の第２実施形態のアナログ電子時計の正面図である。
【図８】第２実施形態のアナログ電子時計の構成を示すブロック図である。
【図９】第２実施形態のアナログ電子時計のＡボタンが押された場合の表示状態の遷移例を示す図である。
【図１０】第２実施形態のアナログ電子時計のＢボタンが押された場合の表示状態の遷移例を示す図である。
【図１１】本発明の第３実施形態のアナログ電子時計の正面図である。
【図１２】第３実施形態のアナログ電子時計のＢボタンが押された場合の表示状態の遷移例を示す図である。
【図１３】第３実施形態のアナログ電子時計のＡボタンが押された場合の表示状態の遷移例を示す図である。
【図１４】本発明の第４実施形態のアナログ電子時計の正面図である。
【図１５】第４実施形態のアナログ電子時計の指針が一巡するのに要するパルス数および移動時間を示す図である。
【図１６】第４実施形態のアナログ電子時計のＡボタンが押された場合の表示状態の遷移例を示す図である。
【図１７】第４実施形態のアナログ電子時計のＢボタンが押された場合の表示状態の遷移例を示す図である。
【発明を実施するための形態】
【００１７】
［第１実施形態］
図１は、アナログ電子時計１を示す正面図である。ここで、アナログ電子時計１は、本発明の時計を構成する。
図１に示すように、アナログ電子時計１は、円形の文字板２を備えている。文字板２には、時計表面側から見て、中心から１２時方向にずれた位置に円形の第１小窓２０が設けられ、中心から９時方向にずれた位置に円形の第２小窓３０が設けられ、中心から６時方向にずれた位置に円形の第３小窓６０が設けられている。
【００１８】
また、アナログ電子時計１は、通常の時刻表示を行う基本時計用指針としての時針１１、分針１２、秒針３１を備えている。時針１１、分針１２は、回転軸が文字板２の中心に位置している。秒針３１は、第２小窓３０に配置されている。ここで、時針１１、分針１２、秒針３１は、本発明の時刻針を構成する。
【００１９】
また、アナログ電子時計１は、回転軸が文字板２の中心に位置しているセンター針である第２指針１３を備えている。
そして、文字板２の外周表面には、０から３１の数字が、外周に沿って表記されている。ここで、０から３１の数字は、時計表面側から見て、１２時位置から時計回りに順番に配置されている。これらの数字を第２指針１３が指示することで、日、月、閏年からの経過年（０，＋１〜＋３）のいずれかの種類のカレンダー情報の値が指示される。
また、文字板２の外周表面には、０から３１の数字の内側に、外周を６０分割にする目盛と、さらに、この目盛を５分割にする１／５目盛とが表記されている。これらの目盛を用いて、第２指針１３は、後述するクロノグラフ部５８２が計測する計測時間の秒を１／５秒単位で指示する。ここで、第２指針１３は、本発明の最小時間計測指針を構成する。
【００２０】
また、アナログ電子時計１は、第１小窓２０に配置されたモード針としての第１指針２１を備えている。そして、第１小窓２０の周囲には、七曜の日曜日から土曜日を示す「Ｓ」、「Ｍ」、「Ｔ」、「Ｗ」、「Ｔ」、「Ｆ」、「Ｓ」の文字が表記されている。第１指針２１は、七曜を示す「Ｓ」〜「Ｓ」を指示することで、曜日を指示する。ここで、第１指針２１は、「Ｓ」〜「Ｓ」を指示することで、通常の表示モードであることを指示する。
また、第１小窓２０の周囲には、月を示す「Ｍ」の文字と、経過年を示す「Ｌ」の文字が表記されている。第１指針２１は、「Ｍ」を指示することで、月を表示する月表示モードであることを指示し、「Ｌ」を指示することで、経過年を表示する経過年表示モードであることを指示する。
また、第１小窓２０の周囲には、アラーム機能を示す「ＡＬ」の文字が表記されている。第１指針２１は、「ＡＬ」を指示することで、アラーム時刻を設定できるアラーム時刻設定モードであることを指示する。
また、第１小窓２０の周囲には、二次電池７（図２参照）の充電量を示す「Ｌ」、「Ｍ」、「Ｈ」の文字が表記されている。第１指針２１は、「Ｌ」を指示することで充電量が少ないことを指示し、「Ｍ」を指示することで充電量が中間であることを指示し、「Ｈ」を指示することで充電量が多いことを指示する。ここで、第１指針２１は、「Ｌ」、「Ｍ」、「Ｈ」を指示することで、充電量を表示する充電量表示モードであることを指示する。
また、第１小窓２０の周囲には、クロノグラフ機能を示す「ＣＨＲ」の文字が表記されている。第１指針２１は、「ＣＨＲ」を指示することで、時間を計測できるクロノグラフモードであることを指示する。
【００２１】
また、アナログ電子時計１は、第３小窓６０に配置された副時針６１、副分針６２を備えて構成された副時分針６３を備えている。副時分針６３は、アラーム時刻や後述するクロノグラフ部５８２が計測する計測時間の時分を指示する。ここで、副時分針６３は、２４時間制でアラーム時刻や計測時間を指示する。なお、副時分針６３は、本発明の計測指針を構成する。
また、アナログ電子時計１には、リューズ３と、Ａボタン４、Ｂボタン５とが設けられている。リューズ３、Ａボタン４、Ｂボタン５は、本発明の操作部を構成する。
【００２２】
図２は、アナログ電子時計１の構成を示すブロック図である。
図２に示すように、各指針１１〜１３，２１，３１，６１，６２は、５つのステップモーターでそれぞれ駆動される。すなわち、秒針３１は、秒針用ステップモーター４１で駆動され、時針１１、分針１２は、時分針用ステップモーター４２で駆動され、第１指針２１は、第１指針用ステップモーター４３で駆動され、第２指針１３は、第２指針用ステップモーター４４で駆動され、副時分針６３（副時針６１および副分針６２）は、副時分針用ステップモーター４５で駆動される。ここで、各ステップモーターは、本発明のモーターを構成する。なお、時針１１、分針１２、秒針３１は、共通のステップモーターで駆動されてもよい。
また、時針１１、分針１２、秒針３１、第１指針２１、第２指針１３は、正転方向（時計回り）にのみ回転可能に構成され、副時分針６３は、正転方向および逆転方向（反時計回り）に回転可能に構成されている。なお、時針１１、分針１２、秒針３１、第１指針２１、第２指針１３を、正転方向および逆転方向に回転可能に構成してもよい。
また、アナログ電子時計１は、発電装置であるソーラーパネル６と、ソーラーパネル６で発電された電気エネルギーが充電される二次電池７を備えている。二次電池７は、アナログ電子時計１の電源を構成する。
【００２３】
これらの各ステップモーター４１〜４５の駆動制御を行うために、アナログ電子時計１には、駆動制御回路５０が内蔵されている。
駆動制御回路５０は、第１スイッチ検出部５１Ａ、第２スイッチ検出部５１Ｂ、第３スイッチ検出部５１Ｃ、充電量検出部５２、制御部５８、秒針駆動制御部５３、時分針駆動制御部５４、第１指針駆動制御部５５、第２指針駆動制御部５６、副時分針駆動制御部５７を備えている。また、制御部５８は、アナログ電子時計１における各種処理を行うものであり、表示制御部５８１、クロノグラフ部５８２、アラーム部５８３を備える。
【００２４】
第１スイッチ検出部５１Ａは、Ａボタン４の押し込み操作を検出し、押し込み操作があった場合にその検出信号を制御部５８に出力する。
第２スイッチ検出部５１Ｂは、Ｂボタン５の押し込み操作を検出し、押し込み操作があった場合にその検出信号を制御部５８に出力する。
第３スイッチ検出部５１Ｃは、リューズ３の操作を検出し、操作があった場合に操作に応じた検出信号を制御部５８に出力する。
充電量検出部５２は、二次電池７の充電量（電池残量）を検出する。充電量の検出は、例えば、一定時間間隔で行われる。
【００２５】
表示制御部５８１は、秒針駆動制御部５３、時分針駆動制御部５４、第１指針駆動制御部５５、第２指針駆動制御部５６、副時分針駆動制御部５７を制御して各指針を移動させる。
秒針駆動制御部５３は、水晶振動子等の基準信号発生回路から出力される基準信号（例えば１Ｈｚの信号）を利用してモーター駆動パルスを出力し、秒針用ステップモーター４１を制御して、秒針３１の駆動を制御する。
時分針駆動制御部５４は、前記基準信号を利用してモーター駆動パルスを出力し、時分針用ステップモーター４２を制御して、時針１１、分針１２の駆動を制御する。
第１指針駆動制御部５５は、前記基準信号を利用してモーター駆動パルスを出力し、第１指針用ステップモーター４３を制御して、第１指針２１の駆動を制御する。
第２指針駆動制御部５６は、前記基準信号を利用してモーター駆動パルスを出力し、第２指針用ステップモーター４４を制御して、第２指針１３の駆動を制御する。
副時分針駆動制御部５７は、前記基準信号を利用してモーター駆動パルスを出力し、副時分針用ステップモーター４５を制御して、副時針６１、副分針６２の駆動を制御する。
なお、表示制御部５８１による各指針の移動方法については、後述する表示切替動作の説明で詳述する。
【００２６】
クロノグラフ部５８２は、後述する状態１〜状態５の表示状態でＢボタン５が押されると動作し、Ａボタン４が押されると、時間の計測をスタートする。そして、再度Ａボタン４が押されると計測をストップする。
【００２７】
アラーム部５８３は、現時刻が予め設定されたアラーム時刻になると、これを検出し、アナログ電子時計１が備える図示しないブザーを利用してユーザーに報知する。
【００２８】
［各指針の移動時間］
図３は、第１指針２１、第２指針１３、副時分針６３が、一巡するのに要するモーター駆動パルスのパルス数と、早送りで一巡するのに要する時間を示す。ここで、第１指針２１が一巡するとは、第１指針２１が１周することである。第２指針１３が一巡するとは、第２指針１３が１周することである。副時分針６３が一巡するとは、副時針６１および副分針６２の両方が一方向に回転して同じ位置に戻ることである。本実施形態では、副分針６２が２４周すると、副時針６１は１周し、副時分針６３が一巡する。
また、早送りとは、各指針を早送りモードに設定されたモーター駆動パルスで駆動することである。例えば、第２指針１３および副時分針６３の場合、早送りの運針速度は、計測時間を指示する場合の運針速度よりも速い。
図３では、各指針を早送りするモーター駆動パルスの周波数が８５Ｈｚの場合の例を示す。
第１指針２１が一巡するのに要するパルス数は、６０発であり、早送りで一巡するのに要する時間は、約０．７秒（６０／８５Ｈｚ）である。
第２指針１３は、６０秒を１／５秒間隔で指示するため、一巡するのに要するパルス数は、３００発（５×６０秒）であり、早送りで一巡するのに要する時間は、約３．５秒（３００／８５Ｈｚ）である。
副時針６１は、副分針６２が２４周すると一周し、また、副分針６２が一周するのに要するパルス数は６０発であるため、副時分針６３が一巡するのに要するパルス数は、１４４０発（２４時間×６０分）であり、早送りで一巡するのに要する時間は、約１６．９秒（１４４０／８５Ｈｚ）である。
すなわち、早送りで一巡するのに要する時間は、第１指針２１が最も短く、次に第２指針１３が短く、副時分針６３が最も長い。
【００２９】
［モード切替動作］
アナログ電子時計１では、Ａボタン４が押されると、モードが順次切り替わる。すなわち、Ａボタン４が押される操作は、本発明のモード切替操作である。
また、アナログ電子時計１では、Ｂボタン５が押されると、クロノグラフモードに移行する。すなわち、Ｂボタン５が押される操作は、本発明のモード切替操作であり、かつ、クロノグラフ切替操作である。
【００３０】
［Ａボタンが押された場合のモード切替動作］
通常の表示状態では、図４の状態１に示すように、指針１１，１２，３１は現時刻の時分秒を指示し、第１指針２１は曜日を指示し、第２指針１３は現在の日（図４の状態１では２０日）を指示し、副時分針６３は、アラーム時刻が設定されている場合は、アラーム時刻の時分を指示し、アラーム時刻が設定されていない場合は、現時刻の時分を指示する。なお、Ａボタン４が押されても、指針１１，１２，３１は、通常の速度で運針して常に現時刻の時分秒を指示し、副時分針６３は、常にアラーム時刻または現時刻の時分を指示している。
【００３１】
状態１でＡボタン４が押されると、状態２に示すように、第１指針２１は、早送りで時計回りに移動し、月を示す「Ｍ」を指示する。その後、第２指針１３は、早送りで時計回りに移動し、現在の月（図４の状態２では１２月）を指示する。
状態２でＡボタン４が押されると、状態３に示すように、第１指針２１は、早送りで時計回りに移動し、経過年を示す「Ｌ」を指示する。その後、第２指針１３は、早送りで時計回りに移動し、現在の経過年の値（図４の状態４では３年）を指示する。
【００３２】
状態３でＡボタン４が押されると、状態４に示すように、第１指針２１は、早送りで時計回りに移動し、アラーム機能を示す「ＡＬ」を指示する。その後、第２指針１３は、早送りで時計回りに移動し、現在の日（図４の状態４では２０日）を指示する。
なお、この表示状態で、リューズ３を回転操作して副時分針６３を移動させ、現時刻からずらすとアラーム時刻を設定できる。また、副時分針６３を移動させ、現時刻に一致させるとアラーム時刻の設定を解除できる。
なお、アラーム時刻の設定は、リューズ３の回転操作ではなく、ボタン操作で行ってもよい。例えば、リューズ３を１段目に引き出し、Ａボタン４を押して副時分針６３を正転させたり、Ｂボタン５を押して副時分針６３を逆転させることで、アラーム時刻を合わせ、リューズ３を０段目に押し込むことでアラーム時刻を設定してもよい。
【００３３】
状態４でＡボタン４が押されると、状態５に示すように、第１指針２１は、早送りで時計回りに移動し、充電量を指示する。なお、第２指針１３は、現在の日を継続して指示する。
状態５でＡボタン４が押されると、状態１に示すように、第１指針２１は、早送りで時計回りに移動し、曜日を指示する。なお、第２指針１３は、現在の日を継続して指示する。これにより、通常の表示状態に戻る。
【００３４】
［Ｂボタンが押された場合のモード切替動作］
状態１〜状態５でＢボタン５が押されると、クロノグラフモードに切り替わる。
図５は、状態１でＢボタン５が押された場合の表示状態の遷移例を示す。
Ｂボタン５が押されると、図５の状態６に示すように、第１指針２１は、早送りで時計回りに移動し、クロノグラフ機能を示す「ＣＨＲ」を指示する。
第１指針２１が早送りで移動した後、第２指針１３は、早送りで時計回りに移動し、０秒位置（帰零位置）に移動する。
第２指針１３が早送りで帰零位置に移動した後、副時分針６３は、早送りで０時分位置（帰零位置）に移動する。なお、副時分針６３は、時計回りおよび反時計回りのうち、０時分位置まで移動するのに早い方の回転方向で移動する。
そして、Ａボタン４が押され、クロノグラフ部５８２が計測を開始すると、第２指針１３および副時分針６３は、通常の速度で運針し、計測時間の秒、分、時を指示する。
なお、時針１１，分針１２，秒針３１は、通常の速度で運針して現時刻の時分秒を継続して指示する。
【００３５】
また、Ｂボタン５が押されてから、第２指針１３が０秒位置に移動するまでの時間は、最大で約４．２秒（０．７秒＋３．５秒）となる。このため、Ｂボタン５が押された直後にＡボタン４が押され、クロノグラフ部５３２が計測を開始した場合、第２指針１３が０秒位置に移動する前に、計測時間の秒が進んでいる場合がある。
このような場合は、図６の状態７に示すように、第２指針１３は、帰零位置で停止せずに計測時間の秒を指示する位置まで早送りで移動する。そして、状態８に示すように、第２指針１３は、計測している秒を指示する位置に早送りで移動した後は、通常の速度で運針し、計測時間の秒を継続して指示する。
また、第２指針１３が早送りでの移動から通常の運針に切り替わったタイミングで、副時分針６３は早送りでの０時分位置（帰零位置）への移動を開始する。Ｂボタン５が押されてから副時分針６３が０時分位置に移動するまでの時間は、最大で約２１．１秒（４．２秒＋１６．９秒）である。このため、副時分針６３が０時分位置に移動する前に、計測時間の分が１分となることはないため、副時分針６３は、状態８に示すように、０時分位置を指示する。そして、副時分針６３は、計測時間が１分以上になると、通常の速度で運針し、計測時間の時分を指示する。
なお、副時分針６３が早送りで移動しているとき、第２指針１３も移動しているが、第２指針１３は通常運針されているため、消費電流の増加は許容範囲内となる。
【００３６】
そして、再度Ｂボタン５が押されると、図５に示すように、第１指針２１、第２指針１３、副時分針６３は、最初にＢボタン５が押される前の表示状態に戻る。このとき、まず、第１指針２１が早送りで移動し、次に、第２指針１３が早送りで移動し、最後に、副時分針６３が早送りで移動する。
【００３７】
［第１実施形態の作用効果］
Ａボタン４やＢボタン５が押された場合、モード針として第１指針２１が最初に移動するため、第１指針２１が最初に移動しない場合と比べて、何のモードに切り替わったかをユーザーが早く確認できる。
また、第１指針２１が移動した後に早送りされる第２指針１３および副時分針６３は、１巡に要するモーター駆動パルスのパルス数が少ない第２指針１３が先に早送りされ、副時分針６３が最後に早送りされるので、逆の順番で移動する場合に比べて、最後に移動する指針の移動開始タイミングまでの平均時間を短くできる。
同様に、第１指針２１、第２指針１３、副時分針６３も、１巡に要するモーター駆動パルスのパルス数が少ない第１指針２１、第２指針１３、副時分針６３の順に早送りされるので、他の順番で移動する場合と比べて、モード切替操作が行われてから、最後に移動する指針の移動開始タイミングまでの平均時間を短くできる。このため、移動対象のすべての指針に対して、モードの切替動作が開始されたことを早く確認できる。
また、第１指針２１と第２指針１３と副時分針６３とは、早送りでの移動期間が重ならないため、同時に早送り移動する場合と比べて、消費電流を低減でき、電源への負荷を低減できる。アナログ電子時計１のように、二次電池のような充放電が行われる電源が用いられる場合には、消費電流が大きいと、電圧降下が発生するなど、電源への負荷が大きく、駆動制御回路に与える影響も大きい。加えて、近年のアナログ電子時計では、指針の動きに変化を付けるために指針を反時計回りに動作させることが多用され、ステップモーターを早送りで逆回転駆動させる頻度が高い。ステップモーターの逆回転駆動では、正転駆動に比べて消費電流が増加し、電源への負荷が増大しやすい。このため、電源への負荷を低減できる上記構成が特に有効となる。
【００３８】
クロノグラフ切替操作が行われると、第１指針２１が移動した後、計測時間の秒を指示する第２指針１３が最初に移動する。このため、クロノグラフ切替操作が行われた直後に、クロノグラフ部５８２が時間の計測を開始した場合、第１指針２１が副時分針６３よりも後に移動する場合と比べて、計測時間の秒が表示されるまでの時間を短縮でき、ユーザーが計測時間の秒を早く確認できる。
また、第１指針２１が０秒位置に移動する前に、クロノグラフ部５８２が時間の計測を開始した場合、第２指針１３を、計測時間の秒を指示する位置まで早送りで移動させた後に、通常運針させる。このため、第２指針１３を０秒位置に移動させ、かつ、副時分針６３を０時分位置に移動させてから、第２指針１３に計測時間の秒を指示させる場合と比べて、計測時間の秒を早く表示させることができる。
【００３９】
時針１１，分針１２，秒針３１は、通常モードではないモードが選択されている場合も、通常の速度で運針して現時刻の時分秒を継続して指示するため、ユーザーは常に現時刻を確認できる。
【００４０】
［第２実施形態］
第２実施形態のアナログ電子時計１Ａについて説明する。なお、アナログ電子時計１Ａにおいて、第１実施形態のアナログ電子時計１と同様の構成については説明を省略する。
図７に示すように、アナログ電子時計１Ａでは、文字板２Ａの外周表面には、協定世界時（ＵＴＣ）との時差を表す時差情報が、数字と、中点（・）とで表記されている。数字の時差情報は整数の時差であり、中点の時差情報は整数以外の時差であることを表している。これらの数字や中点を第２指針１３が指示することで、ＵＴＣとの時差の値が指示される。なお、時差情報に替えて、時差に対応した標準時を使用しているタイムゾーンの代表都市名を表す都市情報を表記し、この都市情報を第２指針１３が指示することで、ＵＴＣとの時差の値が指示される構成としてもよい。
【００４１】
第１小窓２０Ａの周囲には、七曜を示す「Ｓ」〜「Ｓ」、アラーム機能を示す「ＡＬ」、充電量を示す「Ｌ」、「Ｍ」、「Ｈ」に加えて、ワールドタイム設定機能を示す「ＷＴ」の文字が表記されている。第１指針２１は、「ＷＴ」を指示することで、ワールドタイムの時刻を設定できるワールドタイム設定モードであることを指示する。
【００４２】
副時分針６３は、アラーム時刻およびクロノグラフ部５８２が計測する計測時間に加えて、ワールドタイムを指示する。ワールドタイムは、選択された時差に対応したタイムゾーンの時刻である。
【００４３】
図８は、アナログ電子時計１Ａの構成を示すブロック図である。
図８に示すように、駆動制御回路５０Ａの制御部５８Ａは、表示制御部５８１、クロノグラフ部５８２、アラーム部５８３に加えて、ワールドタイム設定機能部５８４を備える。
ワールドタイム設定機能部５８４は、選択された時差に対応したタイムゾーンの時刻（ワールドタイム）を計算して取得する。
【００４４】
なお、アナログ電子時計１Ａでは、第１指針２１、第２指針１３、副時分針６３が、一巡するのに要するモーター駆動パルスのパルス数と、早送りで一巡するのに要する時間は、第１実施形態のアナログ電子時計１と同じである。
【００４５】
［Ａボタンが押された場合のモード切替動作］
通常の表示状態では、図９の状態１に示すように、指針１１，１２，３１は現時刻の時分秒を指示し、第１指針２１は曜日を指示し、第２指針１３は設定されている時差の値を指示し、副時分針６３はワールドタイムの時分を指示する。なお、Ａボタン４が押されても、指針１１，１２，３１は、通常の速度で運針して常に現時刻の時分秒の値を指示し、第２指針１３は、常に時差を指示する。
【００４６】
状態１でＡボタン４が押されると、状態２に示すように、第１指針２１は、早送りで時計回りに移動し、ワールドタイム設定機能を示す「ＷＴ」を指示する。なお、副時分針６３は、ワールドタイムの時分を継続して指示する。
なお、状態２で、リューズ３を回転操作して第２指針１３を移動させた後、Ａボタン４を押すことで時差を設定できる。
【００４７】
状態２でＡボタン４が押されると、状態３に示すように、第１指針２１は、早送りで時計回りに移動し、アラーム機能を示す「ＡＬ」を指示する。その後、副時分針６３は、早送りで移動し、アラーム時刻の時分を指示する。
状態３でＡボタン４が押されると、状態４に示すように、第１指針２１は、早送りで時計回りに移動し、曜日を指示する。その後、副時分針６３は、早送りで移動し、ワールドタイムの時分を指示する。これにより、通常の表示状態に戻る。
なお、状態２でＡボタン４が押された場合、第１指針２１が移動して充電量を示す「Ｌ」、「Ｍ」、「Ｈ」を指示し、この状態でＡボタン４が押された場合、第１指針２１が移動して曜日を指示するようにしてもよい。
【００４８】
［Ｂボタンが押された場合のモード切替動作］
状態１〜状態４でＢボタン５が押されると、クロノグラフモードに切り替わる。
図１０は、状態１でＢボタン５が押された場合の表示状態の遷移例を示す。
Ｂボタン５が押されると、図１０の状態５に示すように、第１指針２１は、早送りで移動し、充電量を指示する。第１指針２１は、充電量を指示することで、クロノグラフモードを指示する。なお、第１実施形態と同様に、クロノグラフモードを指示する「ＣＨＲ」が表記されていれば、第１指針２１は「ＣＨＲ」を指示してクロノグラフモードを指示してもよい。
【００４９】
第１指針２１が早送りで移動した後、第２指針１３は、早送りで時計回りに移動し、０秒位置を指示する。
第２指針１３が早送りで移動した後、副時分針６３は、早送りで移動し、０時分位置を指示する。
そして、Ａボタン４が押され、クロノグラフ部５８２が計測を開始すると、第２指針１３および副時分針６３は、通常の速度で運針し、計測時間の秒、分、時を指示する。
なお、時針１１，分針１２，秒針３１は、通常の速度で運針して現時刻の時分秒を継続して指示する。
【００５０】
また、Ｂボタン５が押された直後にＡボタン４が押され、クロノグラフ部５３２が計測を開始し、第２指針１３が０秒位置に移動する前に、計測時間の秒が進んでいる場合は、第２指針１３は、計測時間の秒を指示する位置まで早送りで移動する。そして、第２指針１３は、通常の速度で運針し、計測時間の秒を継続して指示する。
また、第２指針１３が早送りで移動した後、副時分針６３は早送りで移動し、０時分位置を指示する。そして、副時分針６３は、通常の速度で運針し、計測時間の時分を指示する。
【００５１】
そして、再度Ｂボタン５が押されると、第１指針２１、第２指針１３、副時分針６３は、最初にＢボタン５が押される前の表示状態に戻る。このとき、まず、第１指針２１が早送りで移動し、次に、第２指針１３が早送りで移動し、最後に、副時分針６３が早送りで移動する。
【００５２】
第２実施形態においても、第１実施形態と同様の構成により、同様の作用効果を得ることができる。
また、センター針である第２指針１３で時差を表示するため、時差を分かり易く表示できる。
また、Ｂボタン５が押され、クロノグラフモードに移行すると、第１指針２１は充電量を指示するため、ユーザーは、充電量が少ない場合には、時間の計測を行わない判断ができる。このため、充電量が少ない状態で時間の計測が行われ、電力が消費されることを回避できる。
【００５３】
［第３実施形態］
第３実施形態のアナログ電子時計１Ｂについて説明する。なお、アナログ電子時計１Ｂにおいて、第２実施形態のアナログ電子時計１Ａと同様の構成については説明を省略する。
図１１に示すように、アナログ電子時計１Ｂでは、第１小窓２０Ｂの周囲には、クロノグラフ機能を示す「ＣＨＲ」、ワールドタイム設定機能を示す「ＷＴ」、アラーム機能を示す「ＡＬ」、充電量を示す「Ｌ」、「Ｍ」、「Ｈ」の文字が表記されている。
【００５４】
アナログ電子時計１Ｂでは、Ｂボタン５が押されると、モードの切り替えが行われる。また、Ａボタン４が押されると、クロノグラフモードに移行するとともに、クロノグラフ部５８２は、時間の計測を開始する。
【００５５】
なお、アナログ電子時計１Ｂでは、第１指針２１、第２指針１３、副時分針６３が、一巡するのに要するモーター駆動パルスのパルス数と、早送りで一巡するのに要する時間は、第２実施形態のアナログ電子時計１Ａと同じである。
【００５６】
［Ｂボタンが押された場合のモード切替動作］
通常の表示状態では、図１２の状態１に示すように、指針１１，１２，３１は現時刻の時分秒を指示し、第１指針２１は充電量を指示し、第２指針１３は０秒位置を指示し、副時分針６３はワールドタイムの時分を指示する。なお、Ｂボタン５が押されても、指針１１，１２，３１は、通常の速度で運針して常に現時刻の時分秒を指示し、第２指針１３は、常に０秒位置を指示する。
【００５７】
状態１でＢボタン５が押されると、状態２に示すように、第１指針２１は、早送りで時計回りに移動し、ワールドタイム設定機能を示す「ＷＴ」を指示する。なお、副時分針６３はワールドタイムの時分を継続して指示する。
状態２でＢボタン５が押されると、状態３に示すように、第１指針２１は、早送りで時計回りに移動し、アラーム機能を示す「ＡＬ」を指示する。その後、副時分針６３は、早送りで移動し、アラーム時刻の時分を指示する。
状態３でＢボタン５が押されると、状態１に示すように、第１指針２１は、早送りで時計回りに移動し、充電量を指示する。その後、副時分針６３は、早送りで移動し、ワールドタイムの時分を指示する。これにより、通常の表示状態に戻る。
【００５８】
［Ａボタンが押された場合のモード切替動作］
状態１〜状態３でＡボタン４が押されると、クロノグラフモードに切り替わる。
図１３は、状態１でＡボタン４が押された場合の表示状態の遷移例を示す。
Ａボタン４が押されると、図１３の状態４に示すように、クロノグラフ部５８２は計測を開始し、０秒位置に停止していた第２指針１３は、通常の速度で運針を開始し、計測時間の秒を指示する。同時に、第１指針２１は、早送りで時計回りに移動し、クロノグラフ機能を示す「ＣＨＲ」を指示する。
【００５９】
第１指針２１が早送りで移動した後、副時分針６３は、早送りで移動し、０時分位置を指示する。その後、副時分針６３は、通常の速度で運針し、計測時間の時分を指示する。再度Ａボタン４が押されると、クロノグラフ部５８２は計測をストップする。
【００６０】
そして、Ｂボタン５が押されると、第１指針２１、副時分針６３は、Ａボタン４が押される前の表示状態に戻る。このとき、まず、第１指針２１が早送りで移動し、次に、第２指針１３が早送りで移動し、最後に、副時分針６３が早送りで移動する。
【００６１】
第３実施形態においても、第２実施形態と同様の構成により、同様の作用効果を得ることができる。
また、第２指針１３は、常に０秒位置に位置しているため、Ａボタン４が押された場合、すぐに運針して計測時間の秒を指示できる。このため、クロノグラフモードに切り換えるボタン操作を行ってから、計測を開始するボタン操作を行う場合に比べて即座に計測を開始できる。
また、副時分針６３は、計測時間の分が進む前に、０時分位置に移動するため、分が最初に進むタイミングから、計測時間の分を表示できる。これらにより、Ａボタン４が押された直後から、計測時間を正しく表示できる。
【００６２】
［第４実施形態］
第４実施形態のアナログ電子時計１Ｃについて説明する。なお、アナログ電子時計１Ｃにおいて、第１実施形態のアナログ電子時計１と同様の構成については説明を省略する。
アナログ電子時計１Ｃは、日、月、年のカレンダー情報の表示機能を備えていないことを除き、第１実施形態のアナログ電子時計１と同様の機能を備えている。
また、図１４に示すように、アナログ電子時計１Ｃでは、第１指針２１Ｃは、回転軸が文字板２Ｃの中心に位置しているセンター針で構成されている。また、第２指針１３Ｃは、第１小窓２０Ｃに配置されている。
【００６３】
図１４に示すように、文字板２Ｃの外周表面には、二次電池７の充電量を示すインジケーター１９が表記されている。第１指針２１Ｃは、インジケーター１９を指示することで、二次電池７の充電量を指示する。すなわち、第１指針２１Ｃは、インジケーター１９を指示することで、情報の種類が充電量であることを指示する。
また、文字板２Ｃの外周表面には、クロノグラフ機能を示す「ＣＨＲ」の文字が表記されている。第１指針２１Ｃは、「ＣＨＲ」を指示することで、クロノグラフモードを指示する。
また、文字板２Ｃの外周表面には、アラーム機能が動作していることを示す「ＡＬ−ＯＮ」の記号、および、アラーム機能が停止していることを示す「ＡＬ−ＯＦＦ」の記号が表記されている。第１指針２１Ｃは、「ＡＬ−ＯＮ」および「ＡＬ−ＯＦＦ」のいずれかを指示することで、アラーム時刻設定モードであることを指示する。
【００６４】
第１小窓２０Ｃの外周表面には、外周を２０分割にする目盛が表記されている。この目盛を用いて、第２指針１３Ｃは、クロノグラフ部５８２が計測する計測時間の秒を、１／２０秒単位で指示する。また、第１小窓２０Ｃの周囲には、七曜を示す「Ｓ」〜「Ｓ」の文字が表記されている。第２指針１３Ｃは、「Ｓ」〜「Ｓ」を指示することで、曜日を指示する。
また、副時分針６３は、現時刻、アラーム時刻、クロノグラフ部５８２が計測する計測時間の時分を指示する。なお、副時分針６３は、現時刻ではなく、現時刻とは異なる時刻を指示してもよい。現時刻とは異なる時刻は、ユーザーが設定する時刻であり、現時刻とは異なる時差（タイムゾーン）の時刻や、現時刻を例えば１０分進めた時刻等である。
【００６５】
［各指針の移動時間］
図１５は、第１指針２１Ｃ、第２指針１３Ｃ、副時分針６３が、一巡するのに要するモーター駆動パルスのパルス数と、早送りで一巡するのに要する時間を示す。
図１５では、各指針を早送りするモーター駆動パルスの周波数が８５Ｈｚの場合の例を示す。
第１指針２１Ｃが一巡するのに要するパルス数は、３００発であり、早送りで一巡するのに要する時間は、３．５秒である。
第２指針１３Ｃが一巡するのに要するパルス数は、６０発であり、早送りで一巡するのに要する時間は、０．７秒である。
副時分針６３が一巡するのに要するパルス数は、１４４０発であり、早送りで一巡するのに要する時間は、１６．９秒である。
すなわち、早送りで一巡するのに要する時間は、第２指針１３Ｃが最も短く、次に第１指針２１Ｃが短く、副時分針６３が最も長い。
【００６６】
アナログ電子時計１Ｃでは、Ａボタン４が押されるとモードが切り替わり、Ｂボタン５が押されると、クロノグラフモードに移行する。
［Ａボタンが押された場合のモード切替動作］
通常の表示状態では、図１６の状態１に示すように、指針１１，１２，３１は現時刻の時分秒を指示し、第１指針２１Ｃは充電量を指示し、第２指針１３Ｃは曜日を指示し、副時分針６３は現時刻の時分を指示する。なお、Ａボタン４が押されても、指針１１，１２，３１は、通常の速度で運針して常に現時刻の時分秒を指示する。
【００６７】
状態１でＡボタン４が押されると、状態２に示すように、第１指針２１Ｃは、早送りで時計回りに移動し、アラーム機能が動作していることを示す「ＡＬ−ＯＮ」、または、アラーム機能が停止していることを示す「ＡＬ−ＯＦＦ」を指示する。
第１指針２１Ｃが「ＡＬ−ＯＮ」を指示する場合には、第１指針２１Ｃが移動した後、副時分針６３は、早送りで移動し、アラーム時刻の時分を指示する。なお、第２指針１３Ｃは、曜日を継続して指示する。この状態からリューズ３を回転操作して副時分針６３を移動させ、元々副時分針６３が指示していた時刻に一致させるとアラーム機能が停止し、第１指針２１Ｃは移動して「ＡＬ−ＯＦＦ」を指示する。
また、状態１でＡボタン４が押され、第１指針２１Ｃが移動して「ＡＬ−ＯＦＦ」を指示する場合には、副時分針６３は、現時刻の時分を継続して指示するか、または、第１指針２１Ｃが移動した後、早送りで移動し、ユーザーが予め設定した時刻の時分を指示する。なお、第２指針１３Ｃは、曜日を継続して指示する。この状態からリューズ３を回転操作して副時分針６３を移動させ、現時刻やユーザーが設定した時刻からずらすとアラーム機能が動作してアラーム時刻が設定され、第１指針２１Ｃは移動して「ＡＬ−ＯＮ」を指示する。
なお、アラーム機能の動作状態の切り替え、および、アラーム時刻の設定は、リューズ３の回転操作ではなく、ボタン操作で行ってもよい。例えば、リューズ３を１段目に引き出し、Ａボタン４を押すことでアラーム機能の動作状態を切り替え、第１指針２１Ｃに「ＡＬ−ＯＮ」または「ＡＬ−ＯＦＦ」を切り替えて指示させてもよい。また、リューズ３が１段目に引き出された状態で、Ｂボタン５を押して副時分針６３を正転させ、アラーム時刻を合わせ、リューズ３を０段目に押し込むことでアラーム時刻を設定してもよい。
状態２でＡボタン４が押されると、状態１に示すように、第１指針２１Ｃは、早送りで時計回りに移動し、充電量を指示する。その後、副時分針６３は、早送りで移動し、現時刻の時分を指示する。これにより、通常の表示状態に戻る。
【００６８】
［Ｂボタンが押された場合の表示切替動作］
状態１または状態２でＢボタン５が押されると、クロノグラフモードに切り替わる。
図１７は、状態１でＢボタン５が押された場合の表示状態の遷移例を示す。
Ｂボタン５が押されると、図１７の状態３に示すように、第１指針２１Ｃは、早送りで時計回りに移動し、クロノグラフ機能を示す「ＣＨＲ」を指示する。
【００６９】
第１指針２１Ｃが早送りで移動した後、第２指針１３Ｃは、早送りで時計回りに移動し、０秒位置を指示する。
第２指針１３Ｃが早送りで移動した後、副時分針６３は、早送りで移動し、０時分位置を指示する。
そして、Ａボタン４が押され、クロノグラフ部５８２が計測を開始すると、第２指針１３Ｃおよび副時分針６３は、通常の速度で運針し、計測時間の時刻秒を指示する。
なお、時針１１，分針１２，秒針３１は、通常の速度で運針して現時刻の時分秒を継続して指示する。
【００７０】
また、Ｂボタン５が押された直後にＡボタン４が押され、クロノグラフ部５３２が計測を開始し、第２指針１３Ｃが０秒位置に移動する前に、計測時間の秒が進んでいる場合は、第２指針１３Ｃは、計測時間の秒を指示する位置まで早送りで移動する。そして、第２指針１３Ｃは、通常の速度で運針し、計測時間の秒を継続して指示する。
また、第２指針１３Ｃが早送りで移動した後、副時分針６３は早送りで移動し、０時分位置を指示する。そして、副時分針６３は、通常の速度で運針し、計測時間の時分を指示する。再度Ａボタン４が押されると、クロノグラフ部５３２は計測をストップする。
【００７１】
そして、Ｂボタン５が押されると、第１指針２１Ｃ、第２指針１３Ｃ、副時分針６３は、最初にＢボタン５が押される前の表示状態に戻る。このとき、まず、第１指針２１Ｃが早送りで移動し、次に、第２指針１３Ｃが早送りで移動し、最後に、副時分針６３が早送りで移動する。
【００７２】
第４実施形態においても、第１実施形態と同様の構成により、同様の作用効果を得ることができる。
また、情報の種類を指示する第１指針２１Ｃが、センター針で構成されているため、Ａボタン４が押された場合に、第１指針２１Ｃをダイナミックに移動させることができ、デザイン性を向上できる。
【００７３】
［他の実施形態］
なお、本発明は前述の実施形態に限定されるものではなく、本発明の目的を達成できる範囲での変形、改良等は本発明に含まれるものである。
前記各実施形態では、第３小窓６０には、副時針６１および副分針６２が設けられているが、本発明はこれに限定されない。例えば、副時針６１のみ設けられていてもよいし、副分針６２のみ設けられていてもよい。また、副時分針６３は、設けられていなくてもよい。
【００７４】
前記各実施形態では、副時分針６３は、２４時間制で時刻を指示するが、本発明はこれに限定されない。例えば、副時分針６３は、１２時間制で時刻を指示してもよい。この場合は、別途、午前と午後を示す指針を設けてもよい。なお、この指針を早送りする場合の順番も、一巡するのに要するモーター駆動パルスのパルス数に応じて決定される。
【００７５】
前記第１〜第３実施形態では、Ａボタン４またはＢボタン５が押されると、一巡に要するモーター駆動パルスのパルス数が少ない指針から順番に移動させているが、本発明はこれに限定されない。例えば、ボタンが押されたときの位置から移動先に移動するまでに必要なパルス数が少ない指針から順番に移動させてもよい。
例えば、第１実施形態において、Ｂボタン５が押されたとき、第２指針１３が０秒位置まで移動するのに必要なパルス数が「１０」であり、第１指針２１が「ＣＨＲ」の位置まで移動するのに必要なパルス数が「２０」の場合、第２指針１３を第１指針２１よりも先に移動させてもよい。
【００７６】
前記第４実施形態では、Ｂボタン５が押されると、第１指針２１Ｃが第２指針１３Ｃよりも先に移動するが、本発明はこれに限定されない。すなわち、一巡に要するモーター駆動パルスのパルス数が第１指針２１Ｃよりも少ない第２指針１３Ｃを、第１指針２１Ｃよりも先に移動させてもよい。
【００７７】
前記各実施形態において、各指針の表示の切り替えが行われるモードは、クロノグラフ等に限定されない。例えばパーペチュアルカレンダー、デュアルタイム、カウントダウンタイマー、インジケーター等が適宜組み合せられていてもよい。また、ユーザーが日常的に使用するモードに限定されず、例えば、針位置を合わせるモードや、時刻を合わせるモードであってもよい。
【符号の説明】
【００７８】
１，１Ａ，１Ｂ，１Ｃ…アナログ電子時計、１３，１３Ｃ…第２指針、２１，２１Ｃ…第１指針、４…Ａボタン、４３…第１指針用ステップモーター、４４…第２指針用ステップモーター、４５…機能針用ステップモーター、５…Ｂボタン、５８，５８Ａ…制御部、５８１…表示制御部、５８２…クロノグラフ部、５８３…アラーム部、６１…副時針、６２…副分針、６３…副時分針。
【図１】
2016200502.tif 000003
【図２】
2016200502.tif 000004
【図３】
2016200502.tif 000005
【図４】
2016200502.tif 000006
【図５】
2016200502.tif 000007
【図６】
2016200502.tif 000008
【図７】
2016200502.tif 000009
【図８】
2016200502.tif 000010
【図９】
2016200502.tif 000011
【図１０】
2016200502.tif 000012
【図１１】
2016200502.tif 000013
【図１２】
2016200502.tif 000014
【図１３】
2016200502.tif 000015
【図１４】
2016200502.tif 000016
【図１５】
2016200502.tif 000017
【図１６】
2016200502.tif 000018
【図１７】
2016200502.tif 000019